(57)【要約】【目的】中型、小型の釣り竿でも、必要にして十分なバランス調整を可能にする。【構成】釣り竿１０のグリップ部１１とテール部１２とを分割するとともに、めねじ部２１を有し調整重りを兼ねた螺合部材２２とそのめねじ部２１と螺合可能なおねじ部２３を有する軸部材２４とから成る調整部１６を用いてグリップ部１１とテール部１２とを一体化し、テール部１２を回転させて軸部材２４の方向に前後動させることによりグリップ部１１からテール部１２までの全長を伸縮可能とする。【選択図】        図３
2004208544.tif 000002
【特許請求の範囲】
【請求項１】
釣り竿の重量バランスを調整するための機構であって、釣り竿のグリップ部とテール部とを分割するとともに、めねじ部を有し調整重りを兼ねた螺合部材とそのめねじ部と螺合可能なおねじ部を有する軸部材とから成る調整部を用いてグリップ部とテール部とを一体化し、テール部を回転させて軸部材の方向に前後動させることによりグリップ部からテール部までの全長を伸縮可能としたことを特徴とする釣り竿のバランス調整機構。
【請求項２】
テール部には、調整重りとは別に、補助重りを設けた構成を有する請求項１記載の釣り竿のバランス調整機構。
【請求項３】
グリップ部とテール部とはパイプを有しており、このパイプに密に嵌合可能な形態に螺合部材を形成し、グリップ部又はテール部のパイプ内に密に嵌合している状態から、螺合部材を取り外して螺合部材の軸部材上の位置を調整可能とした構成を有する請求項１記載の釣り竿のバランス調整機構。
【請求項４】
軸部材には軸方向前後どちらかに位置する螺合部材に接してその軸上の位置を固定するロックナットが設けられている請求項１又は３記載の釣り竿のバランス調整機構。
【発明の詳細な説明】
【０００１】
【発明の属する技術分野】
本発明は、釣り竿の重量バランスを調整するための機構に関するものである。
【０００２】
【従来の技術】
概してリールを有する大きな釣り竿は両手で投げるためにテールを長くとってあるが、片手で投げる中型、小型のリール竿はテールが短いため、長時間支えていることが大変である。釣り竿の重量的バランスが良ければ竿先が下がるモーメントも小さく支える方も楽になるので、そのために重りを用いることは公知である。しかしグリップ内に固定されているものは調整不可のため効果が限定され、調整可能なものでもバランス重りの個数調整が主となるので個人差に応じ難く、竿先が重くなり過ぎたり軽くなり過ぎたりすることになり、不充分な効果しか期待できない（特開２００２−１２５５２９号参照）。
【０００３】
【発明が解決しようとする課題】
本発明は前記の点に着目してなされたもので、その課題は、中型、小型の釣り竿でも、必要にして充分なバランス調整を可能にすることにより、長時間釣り竿を持ったまま当たりを待っても苦痛を感じることが少なくて済むようにすることである。また本発明の他の課題は竿先の下げモーメントを打ち消すと同時に、テールの端まで長さを調整可能として釣り竿の保持を容易にすることである。
【０００４】
【課題を解決するための手段】
前記の課題を解決するため本発明は、釣り竿のグリップ部とテール部とを分割するとともに、めねじ部を有し調整重りを兼ねた螺合部材とそのめねじ部と螺合可能なおねじ部を有する軸部材とから成る調整部を用いてグリップ部とテール部とを一体化し、テール部を回転させて軸部材の方向に前後動させることによりグリップ部からテール部までの全長を伸縮可能するという手段を講じたものである。
【０００５】
釣り竿の内、片手で持つリール竿と称するものの場合、支点はグリップを握っている手の中指辺にあり、釣り糸を垂らした釣り竿は釣り糸の張力と釣り竿の重量とに基いて、そのときに応じたモーメントが支点周りに作用する。このモーメントを０に近付けかつまたモーメントの変化が生じないようにすることに本発明の目的の一つがある。この目的を達成するため、本発明ではグリップ部とテール部とを分割し、それらを調整部により再結合した構成とする。
【０００６】
調整部は、螺合部材と、軸部材とから成る。螺合部材はめねじ部を有し、かつ調整おもりを兼ねるもので、云わばナット型の重錘と考えて良く、軸部材はめねじ部と螺合可能なおねじ部を有するものでボルト状の構造を有していて良い。これにより、軸部材に螺合する螺合部材は、軸部材上においてその位置を自由に連続して変化させることができる。螺合部材は、グリップ側とテール部側とに少なくとも各１個配置される。このような螺合部材は、グリップ部とテール部とを再結合するための手段を構成する。これにより、グリップ部からテール部までの全長の伸縮が可能になる。
【０００７】
グリップ部とテール部にはパイプを設け、このパイプに密に嵌合可能な形態に螺合部材を形成することにより、グリップ部又はテール部のパイプ部に密に嵌合している状態から、螺合部材を取り外して螺合部材の位置を軸部材上で調整可能に構成することができる。螺合部材とパイプ部との密な嵌合は、これがグリップとテール部とを一体化する手段となるから重要である。軸部材には、軸方向前後どちらかに位置する螺合部材に接するロックナットにより軸上の位置を固定することができる。
【０００８】
【発明の実施の形態】
以下図示の例を参照して本発明をより詳細に説明する。図１は本発明のバランス調整機構１５を適用した釣り竿１０の全体を示している。釣り竿１０は、分割されたグリップ部１１とテール部１２及び竿部１３とから成り、リール１４を有している。
【０００９】
バランス調整機構１５は、上記分割されたグリップ部１１と、テール部１２及び調整部１６とから成る。なおグリップ部１１とテール部１２は芯材としてパイプ１７、１８を有しており、テール部１２には比較的軽量の補助重り１９が設けられている。調整部１６は、めねじ部２１を有し、調整重りを兼ねた比較的比重の大きい金属材料を用いて筒状に形成されている螺合部材２２と、上記めねじ部２１に螺合可能なおねじ部２３を有する軸部材２４とから成り、螺合部材２２はバランス調整のために適当な重量を有する定形のもの複数個を使用可能であり、また軸部材２４は、グリップ部１１とテール部１２とを合わせた寸法よりも短い程度の長寸なねじ杆として形成されている。図２参照。
【００１０】
螺合部材２２は、グリップ１１及びテール部１２の各パイプ１７、１８内に密に嵌め込まれる形状、寸法を有している。グリップ１１に嵌め込まれる螺合部材２２の群と、テール部１２に嵌め込まれる螺合部材１２の群の間にはロックナット２５が配置され、このロックナット２５はどちらかの群の螺合部材２２の位置を固定可能である。なお、グリップ部１１とテール部１２の各表面は樹脂発泡体から成る表皮材２６、２７などを用いて覆われる。
【００１１】
このように構成されている本発明のものでは、図３に示すようにテールヘビーとしたい場合、テール部側パイプ１８に密に嵌合される螺合部材２２の位置を後方へ適当距離後方へ移動させ、グリップ部側パイプ１７に密に嵌合される螺合部材２２の位置もなるべく後方へ移動させるとともに、夫々グリップ部１１又はテール部１２の各パイプ１７、１８内に嵌め込ませるようにする。テール部側パイプ内で螺合部材２２を後方へ移動させるほど重心が後へ移動し、竿先２８のモーメントを打ち消すように作用する。グリップ部１１からテール部１２までの間隔ｄを離すことも重心を後方へ移動させるべく作用する。
【００１２】
グリップ部１１とテール部１２との間隔ｄを大きくすることは、重量バランスを変えるだけではなく、それと同時にグリップ部先端からテール部後端までの全長を伸長することにもなる（図１鎖線参照）。そのため、中型、小型の竿でもグリップ以下の長さを大きくすることができ、これによりテール部１２を腋の下に挟み込んで支え持つことが可能となるので、竿先２８の下げモーメントの減少と同時に釣り竿保持方法の改善も可能となる。
【００１３】
【発明の効果】
本発明は以上の如く構成されかつ作用するものであるから、中型、小型の釣り竿でも、必要十分なバランス調整能力を持つようになり、竿先の下げモーメントを打ち消すと同時に、グリップ部以降の実質有効長を延長し保持を容易化することができるので、長時間釣り竿を持ったまま当たりを持っても苦痛を感じることが少なく、疲労が少なくて済む。
【図面の簡単な説明】
【図１】本発明に係るバランス調整機構を適用した釣り竿の全体説明図。
【図２】同上のバランス調整機構の１例を示す分解斜視図。
【図３】同じく調整機構による調整状態を示す説明図。
【符号の説明】
１０  釣り竿
１１  グリップ部
１２  テール部
１５  バランス調整機構
１６  調整部
１７、１８  パイプ
１９  補助重り
２１  めねじ部
２２  螺合部材
２３  おねじ部
２４  軸部材
２５  ロックナット
【図１】
2004208544.tif 000003
【図２】
2004208544.tif 000004
【図３】
2004208544.tif 000005